【手続補正書】
【提出日】平成19年3月2日(2007.3.2)
【手続補正１】
【補正対象書類名】特許請求の範囲
【補正対象項目名】請求項１９
【補正方法】変更
【補正の内容】
【請求項１９】
書込データに応じた方向に流れるデータ書込電流を流すための複数の書込電流線と、
前記データ書込電流によって生じるデータ書込磁界の印加によりデータが書き込まれる複数の磁気メモリセルと、
前記複数の書込電流線のうちの複数本によって共有される第１のライトドライバと、
前記複数の書込電流線の各々に対応して配置される第２のライトドライバとを備え、
前記第１のライトドライバ回路は、当該第１のライトドライバを共有する複数本の書込電流線がデータ書込対象を含む場合に、当該複数本の書込電流線の一端側を書込データのレベルに応じて複数のデータ電圧のうちの１つと接続し、
前記第２のライトドライバは、対応の書込電流線がデータ書込対象である場合には当該対応の書込電流線の他端側を前記複数のデータ電圧のうちの他の１つと接続する一方で、対応の書込電流線がデータ書込対象でない場合には当該対応の書込電流線の他端側を前記複数のデータ電圧のいずれとも切り離す、薄膜磁性体記憶装置。
【手続補正２】
【補正対象書類名】明細書
【補正対象項目名】００１２
【補正方法】変更
【補正の内容】
【００１２】
この発明の他の構成に従う薄膜磁性体記憶装置は、書込データに応じた方向に流れるデータ書込電流を流すための複数の書込電流線と、データ書込電流によって生じるデータ書込磁界の印加によりデータが書き込まれる複数の磁気メモリセルと、書込データのレベルに応じて、複数のデータ電圧のうちの１つに設定されるデータバスと、各書込電流線の一端に対応して設けられ、一端およびデータバスの間を電気的に接続するための第１の書込スイッチ素子と、各書込電流線の他端を複数のデータ電圧とそれぞれ電気的に接続するための複数の第２の書込スイッチ素子とをさらに備える。複数の第２の書込スイッチ素子のうちの、データバスの電圧とは異なるデータ電圧に対応する１つは、第２のデータ書込電流を発生させるために導通される。
この発明のさらに他の構成に従う薄膜磁性体記憶装置は、書込データに応じた方向に流れるデータ書込電流を流すための複数の書込電流線と、データ書込電流によって生じるデータ書込磁界の印加によりデータが書き込まれる複数の磁気メモリセルと、複数の書込電流線のうちの複数本によって共有される第１のライトドライバと、複数の書込電流線の各々に対応して配置される第２のライトドライバとを備える。第１のライトドライバ回路は、当該第１のライトドライバを共有する複数本の書込電流線がデータ書込対象を含む場合に、当該複数本の書込電流線の一端側を書込データのレベルに応じて複数のデータ電圧のうちの１つと接続する。第２のライトドライバは、対応の書込電流線がデータ書込対象である場合には当該対応の書込電流線の他端側を複数のデータ電圧のうちの他の１つと接続する一方で、対応の書込電流線がデータ書込対象でない場合には当該対応の書込電流線の他端側を複数のデータ電圧のいずれとも切り離す。
【手続補正３】
【補正対象書類名】明細書
【補正対象項目名】００１６
【補正方法】変更
【補正の内容】
【００１６】
さらに、書込電流線の片側を、書込データに応じた電圧に設定される書込ノードと接続するとともに、もう片側を選択的にオンされる複数の書込スイッチ素子によって、書込ノードの設定電圧とは異なる電圧と接続することで、書込電流線上に書込データに応じた方向のデータ書込電流を流すことができる。したがって、書込電流線の両側に複数の書込スイッチを設けた構成と比較してスイッチ素子の配置個数を減少可能であるとともに、書込電流線の両側に相補のデータバスをそれぞれ配置する構成と比較してデータ書込電流経路を短縮して当該経路の寄生抵抗を抑制できる。これにより、薄膜磁性体記憶装置において、回路面積削減とデータ書込電流レベル確保の容易化とを均衡させて実現できる。
【手続補正４】
【補正対象書類名】明細書
【補正対象項目名】００４４
【補正方法】変更
【補正の内容】
【００４４】
各ビット線ＢＬの一端側は、コラム選択スイッチ５５を介してデータバスＤＢと接続される。一方、各ビット線ＢＬの他端側には、ライトドライバ５０が配置される。各ダミーメモリセルＤＭＣは、コラム選択スイッチ５５ｒを介して参照データバスＤＢｒと接続される。
【手続補正５】
【補正対象書類名】明細書
【補正対象項目名】００６４
【補正方法】変更
【補正の内容】
【００６４】
既に説明したように、選択ディジット線ＤＬｉの一端側は、「第１のスイッチ素子」に相当するスイッチ素子Ｓ１を介して接地電圧Ｖｓｓと接続可能であり、かつ、その他端側は「第２のスイッチ素子」であるスイッチ素子Ｓ２を介して電源電圧Ｖｃｃと接続されている。なお、スイッチ素子Ｓ１は図１に示したトランジスタスイッチ２５に相当し、スイッチ素子Ｓ２は図１に示されたトランジスタスイッチ１５に相当する。
【手続補正６】
【補正対象書類名】明細書
【補正対象項目名】００７０
【補正方法】変更
【補正の内容】
【００７０】
図５を参照して、メモリセルアレイ１０には、ｍ行×ｎ列（ｍ，ｎ：自然数）にメモリセルＭＣが配置され、メモリセル行に対応してディジット線ＤＬ１〜ＤＬｍが配置され、メモリセル列に対応してビット線ＢＬ１〜ＢＬｎが配置される。
【手続補正７】
【補正対象書類名】明細書
【補正対象項目名】００７２
【補正方法】変更
【補正の内容】
【００７２】
したがって、寄生容量６２ａ，６７ａによる充電容量の不足を補助するための付加容量６２ｂ，６７ｂは、各ディジット線ＤＬおよび各ビット線ＢＬの充電経路において、メモリセルＭＣよりも上流側に設ける必要がある。すなわち、付加容量６２ｂは、メモリセルアレイ１０外部のスイッチ素子Ｓ２側の領域で各ディジット線ＤＬと接続されるように設けられる。同様に、付加容量６７ｂは、メモリセルアレイ１０外部のスイッチ素子Ｓ３側の領域で各ビット線ＢＬと接続されるように設けられる。
【手続補正８】
【補正対象書類名】明細書
【補正対象項目名】０１０２
【補正方法】変更
【補正の内容】
【０１０２】
図８（ａ）を参照して、充電時には、ディジット線容量６０の充電電流ｉｃ（ｔ）は、充電抵抗Ｒ０に依存したＶｃｃ／Ｒ０をピーク値とする減衰電流となる。充電電流ｉｃ（ｔ）の減衰レートはディジット線容量６０および充電抵抗Ｒ０の積の逆数である、“１／（Ｃ・Ｒ０）”に依存する。
【手続補正９】
【補正対象書類名】明細書
【補正対象項目名】０１５６
【補正方法】変更
【補正の内容】
【０１５６】
クロックサイクル７では、スイッチ素子Ｓ４ｂがターンオンされるが、書込ノード７５に設定されるデータ電圧が接地電圧Ｖｓｓであるため、当該クロックサイクルにおいてビット線ＢＬ上をデータ書込電流は流れない。したがって、このクロックサイクルにおいては、選択ディジット線ＤＬｊ上をデータ書込電流−Ｉｐが流れるものの、選択ビット線ＢＬｊ上をデータ書込電流が流れないため、データ書込は実行されない。
【手続補正１０】
【補正対象書類名】明細書
【補正対象項目名】０１７６
【補正方法】変更
【補正の内容】
【０１７６】
図１８に示された動作シーケンスは、図６に示された実施の形態１に従う動作シーケンスに対応し、クロックサイクル１〜９における動作は図６に示した動作と同様である。
【手続補正１１】
【補正対象書類名】明細書
【補正対象項目名】０１８０
【補正方法】変更
【補正の内容】
【０１８０】
メインディジット線ＭＤＬに与えられる電圧信号φ（ＤＬ）は、スタンバイ動作（Ｓｔｂｙ）およびデータ読出動作（Ｒｅａｄ）が実行されるクロックサイクル１〜３，９と、データ書込動作中のディジット線ＤＬの充電サイクル（クロックサイクル４，７）において電源電圧Ｖｃｃに設定され、その他のクロックサイクルにおいてはハイインピーダンス状態（Ｚ）とされる。
【手続補正１２】
【補正対象書類名】明細書
【補正対象項目名】０１８５
【補正方法】変更
【補正の内容】
【０１８５】
図１９に示された動作シーケンスは、図１３に示された実施の形態１の変形例１に従う動作シーケンスに対応し、クロックサイクル１〜９における動作は図１３に示した動作と同様である。
【手続補正１３】
【補正対象書類名】明細書
【補正対象項目名】０１９８
【補正方法】変更
【補正の内容】
【０１９８】
このようなデータ書込シーケンスとすることにより、実施の形態２の変形例２に従うＭＲＡＭデバイスにおいて、実施の形態１の変形例２に従う構成と同様に、データ書込動作時のの各スイッチ素子のオン・オフ設定をパターン化して、ライトドライバ５０の制御回路の構成を簡素化するとともに、データ書込動作に必要なクロックサイクル数を減じてデータ書込の高速化を図ることができる。
【手続補正１４】
【補正対象書類名】図面
【補正対象項目名】図１４
【補正方法】変更
【補正の内容】
【図１４】
2005302074.tif 000001
【手続補正１５】
【補正対象書類名】図面
【補正対象項目名】図１５
【補正方法】変更
【補正の内容】
【図１５】
2005302074.tif 000002
【手続補正１６】
【補正対象書類名】図面
【補正対象項目名】図１８
【補正方法】変更
【補正の内容】
【図１８】
2005302074.tif 000003
【手続補正１７】
【補正対象書類名】図面
【補正対象項目名】図２４
【補正方法】変更
【補正の内容】
【図２４】
2005302074.tif 000004